(57)【要約】【課題】カバー部材の設計を変えることなく、異なる大きさの液晶表示部材をカバー部材に配置することができる画像形成装置を提供する。【解決手段】開口部２８が形成され情報を入力するための情報入力部材３２が設けられるカバー部材２２、２４と、開口部２８から露出する液晶表示部材４０と、液晶表示部材４０の表示面４２の面積が開口部２８の開口面積よりも小さい場合に、液晶表示部材４０を収容してカバー部材２２、２４に設けられる支持部材３８と、を有する。【選択図】      図４
2010256801.tif 000002
【特許請求の範囲】
【請求項１】
開口部が形成され、情報を入力するための情報入力部材が設けられるカバー部材と、
表示面が前記開口部から露出する液晶表示部材と、
前記液晶表示部材の前記表示面の面積が前記開口部の開口面積よりも小さい場合に、前記液晶表示部材を収容して前記カバー部材に設けられる支持部材と、
を有する画像形成装置。
【請求項２】
前記支持部材は、前記液晶表示部材を前記開口部に対して位置決めする位置決め部材である請求項１に記載の画像形成装置。
【発明の詳細な説明】
【技術分野】
【０００１】
本発明は、操作パネルを備えた画像形成装置に関する。
【背景技術】
【０００２】
従来の画像形成装置には、画像形成処理を指示するための操作パネル（操作部）が設けられている。操作パネルは、主として、外郭を構成するカバー部材と、カバー部材に収容される種々の制御回路基板と、カバー部材に収容されカバー部材側に形成された開口部から露出する液晶表示部材と、を有している。
【先行技術文献】
【特許文献】
【０００３】
【特許文献１】特開平１１−１６８２８３号公報
【発明の概要】
【発明が解決しようとする課題】
【０００４】
ところで、画像形成装置の機種によっては、機能又はサイズが大きく異なることがあるため、液晶表示部材の大きさも機種に応じて異なるように設定される。しかしながら、液晶表示部材の大きさを変えると、カバー部材に形成された開口部の大きさも液晶表示部材の大きさに対応するように変えなければならない。この結果、多くの種類のカバー部材を用意しなければならず、カバー部材の設計及び製作工程が煩雑になるとともに、カバー部材の管理も複雑になる。
【０００５】
そこで、本発明は、上記事情に鑑み、カバー部材の設計を変えることなく、異なる大きさの液晶表示部材をカバー部材に配置することができる画像形成装置を提供する。
【課題を解決するための手段】
【０００６】
本発明は、開口部が形成され、情報を入力するための情報入力部材が設けられるカバー部材と、表示面が前記開口部から露出する液晶表示部材と、前記液晶表示部材の前記表示面の面積が前記開口部の開口面積よりも小さい場合に、前記液晶表示部材を収容して前記カバー部材に設けられる支持部材と、を有する。
【０００７】
本発明によれば、液晶表示部材の表示面の面積がカバー部材の開口部の開口面積よりも小さい場合に、液晶表示部材が支持部材に収容されてカバー部材に設けられる。これにより、液晶表示部材が開口部に対して位置ずれすることがない。一方、液晶表示部材の表示面の面積が前記開口部の開口面積と同等の場合には、液晶表示部材は、支持部材に収容されることなく、カバー部材に直接、収容される。このように、カバー部材の設計を変えることなく、１つのカバー部材に、表示面の大きさが異なる液晶表示部材を収容することができる。
【０００８】
この場合、前記支持部材は、前記液晶表示部材を前記開口部に対して位置決めする位置決め部材であることが好ましい。
【０００９】
これにより、支持部材は、液晶表示部材を開口部に対して位置決めする位置決め部材であるため、液晶表示部材の表示面の面積が開口部の開口面積よりも小さい場合でも、液晶表示部材が開口部に対して位置ずれすることを防止できる。
【発明の効果】
【００１０】
本発明によれば、カバー部材の設計を変えることなく、異なる大きさの液晶表示部材をカバー部材に配置することができる。
【図面の簡単な説明】
【００１１】
【図１】本発明の画像形成装置の斜視図である。
【図２】本発明の画像形成装置の操作部であって内部に支持部材を収容していない状態の斜視図である。
【図３】本発明の画像形成装置の操作部であって内部に支持部材を収容していない状態の分解斜視図である
【図４】本発明の画像形成装置の操作部であって内部に支持部材を収容している状態の斜視図である。
【図５】本発明の画像形成装置の操作部であって内部に支持部材を収容している状態の分解斜視図である。
【発明を実施するための形態】
【００１２】
本発明の第１実施形態に係る画像形成装置について、図面を参照して説明する。
【００１３】
図１に示すように、画像形成装置１０は、画像形成装置１０の外郭を構成する筐体１２を備えている。筐体１２の上部には、原稿情報を読み取るための原稿台１４が設けられている。原稿台１４の内部には、原稿の原稿情報を読み取る読取装置（図示省略）が設けられている。この読取装置は、従来から周知の構成であるため、説明を省略する。また、原稿台１４の上面には、ＡＤＦ装置（Ａｕｔｏ  Ｄｏｃｕｍｅｎｔ  Ｆｅｅｄｅｒ：原稿自動送り装置）１６が設けられている。ＡＤＦ装置１６は、原稿を載せるための原稿トレイ１８と、原稿トレイ１８の原稿を所定の読取ポイントに搬送する原稿搬送機構（図示省略）と、を備えている。
【００１４】
図２及び図３に示すように、原稿台１４の一辺には、画像形成装置１０の作動を制御し、あるいは印字環境などを設定するための操作パネル（操作部）２０が設けられている。操作パネル２０は、操作パネル２０の外郭を構成するパネルカバー２２を備えている。パネルカバー２２には、大開口部２６が形成されている。パネルカバー２２の大開口部２６には、パネルオーバーレイ２４が装着される。パネルオーバーレイ２４には、後述する液晶表示装置３４の表示面３６を露出させるための第１開口部（開口部）２８と、各種の操作ボタン（情報入力部材）３２を露出させるための複数の第２開口部３０と、が形成されている。なお、本実施形態では、パネルカバー２２とパネルオーバーレイ２４とを分離可能な別部材で構成した例を示したが、両者が分離不可能な同一部材で構成されていてもよい。
【００１５】
本発明の「カバー部材」は、パネルカバー２２とパネルオーバーレイ２４とが別部材あるいは同一部材にかかわらず、パネルカバー２２とパネルオーバーレイ２４とを含んだ概念と定義する。
【００１６】
パネルオーバーレイ２４のパネルカバー２２には、液晶表示装置３４が設けられる。液晶表示装置３４の表示面３６が第１開口部（開口部）２８から露出するように位置決めされる。また、液晶表示装置３４の表示面３６には、操作ボタン３２により入力した情報、あるいは画像形成装置１０の動作に関する情報などが表示される。なお、液晶表示装置３４には、液晶表示制御に関する制御回路基板（図示省略）が内蔵されている。
【００１７】
パネルオーバーレイ２４の第２開口部３０には、各種の操作ボタン３２が設けられる。操作ボタン３２は、制御回路基板（図示省略）と電気的に接続されている。なお、制御回路基板は、パネルカバー２２に収容されている。
【００１８】
ここで、パネルオーバーレイ２４の第１開口部２８の開口面積と液晶表示装置３４の表示面３６の表示面積とが同じかあるいは略同じ場合には、液晶表示装置３４は直接、パネルカバー２２に収容される。そして、パネルオーバーレイ２４の第１開口部２８に、液晶表示装置３４の表示面３６が位置して露出する。このとき、パネルオーバーレイ２４の第１開口部２８の開口面積と液晶表示装置３４の表示面３６の表示面積とが同じかあるいは略同じであるため、パネルオーバーレイ２４の第１開口部２８と液晶表示装置３４の表示面３６との間に隙間が生じることがない。この結果、パネルオーバーレイ２４の第１開口部２８を全て利用した液晶表示が可能になる。
【００１９】
一方、液晶表示装置３４の表示面３６の表示面積がパネルオーバーレイ２４の第１開口部２８の開口面積よりも小さい場合には、液晶表示装置３４をパネルカバー２２にそのまま収容した場合に、パネルオーバーレイ２４の第１開口部２８と液晶表示装置３４の表示面３６との間に隙間が生じる。この問題を解決するために、本実施形態では、ブラケット（支持部材）３８（図４及び図５参照）が用いられる。
【００２０】
すなわち、図４及び図５に示すように、ブラケット３８は、パネルオーバーレイ２４の第１開口部２８の開口面積よりも小さい表示面積の表示面４２を有する小型の液晶表示装置（液晶表示部材）４０を装着し、かつ位置決めするものである。ブラケット３８には、パネルオーバーレイ２４の第１開口部２８の開口面積よりも小さな開口面積となる小開口部４４が形成されている。この小開口部４４の開口面積は、前記小型の液晶表示装置４０の表示面４２の表示面積と同じか略同じになるように設定されている。これにより、小型の液晶表示装置４０がブラケット３８に装着されることにより、パネルオーバーレイ２４の第１開口部２８と小型の液晶表示装置４０の表示面４２との間に隙間が生じることを防止できる。また同時に、小型の液晶表示装置４０の表示面４２が第１開口部２８に対して位置決めされるため、例えば画像形成装置４０の使用時に、小型の液晶表示装置４０の表示面４２が第１開口部２８に対して位置ずれすることを防止できる。
【００２１】
なお、このブラケット３８は、パネルオーバーレイ２４の第１開口部２８の開口面積と同じか略同じになる表示面積の表示面３６を備えた液晶表示装置３４（図２及び図３参照）を、パネルカバー２２に装着する場合には、使用されない。
【００２２】
本実施形態によれば、パネルオーバーレイ２４の第１開口部２８の開口面積と同じか略同じになる大きな表示面積の表示面３６を有する液晶表示装置３４をパネルカバー２２に装着する場合には、ブラケット３８を介することなく、液晶表示装置３４がパネルカバー２２に直接、装着される。これにより、パネルオーバーレイ２４の第１開口部２８の全ての領域を利用した液晶表示を実現することができる。
【００２３】
一方、パネルオーバーレイ２４の第１開口部２８の開口面積よりも小さな表示面積の表示面４２を有する小型の液晶表示装置４０をパネルカバー２２に収容する場合には、上述した通り、小型の液晶表示装置４０がブラケット３８に装着される。これにより、パネルオーバーレイ２４の第１開口部２８の内縁と小型の液晶表示装置４０の表示面４２の外縁との間には、ブラケット３８の一部が隙間無く位置して露出した構造になる。この結果、パネルオーバーレイ２４の第１開口部２８の内縁と小型の液晶表示装置４０の表示面４２の外縁との間に隙間が生じることを防止できるとともに、小型の液晶表示装置４０の表示面４２がパネルオーバーレイ２４の第１開口部２８に対して位置決めすることができる。このように、パネルカバー２２及びパネルオーバーレイ２４の設計を変えることなく、既存のパネルカバー２２及びパネルオーバーレイ２４に、表示面３６、４２の表示面積の大きさが異なる液晶表示装置３４、４０を収容することができる。
【００２４】
なお、ブラケット３８の小開口部４４の開口面積は、小型の液晶表示装置４０の表示面４２の表示面積に対応して設定されているが、表示面４２の表示面積が異なる複数の小型の液晶表示装置が存在する場合には、それぞれの表示面の表示面積に対応した小開口部を有する複数種類のブラケットを準備しておくことが好ましい。
【符号の説明】
【００２５】
１０      画像形成装置
２０      操作パネル（操作部）
２２      パネルカバー（カバー部材）
２４      パネルオーバーレイ（カバー部材）
２８      第１開口部（開口部）
３２      操作ボタン（情報入力部材）
３８      ブラケット（支持部材）
４０      液晶表示装置（液晶表示部材）
４２      表示面
【図１】
2010256801.tif 000003
【図２】
2010256801.tif 000004
【図３】
2010256801.tif 000005
【図４】
2010256801.tif 000006
【図５】
2010256801.tif 000007